(57)【特許請求の範囲】
【請求項１】
発光素子と、
前記発光素子からの直接光を反射する壁部を有する反射部と、
を有し、
前記発光素子の光軸に直交し、かつ、互いに直交する２つの軸を縦軸と横軸とするとき、
前記壁部は、前記光軸の方向から見て前記発光素子を挟んで対向する２つの突起部を有し、
前記突起部の表面は、前記縦軸上に頂部を有すると共に、前記頂部において前記光軸との距離が最も短く、前記横軸に沿って前記頂部から離れるにしたがって前記横軸との距離が長くなり、
前記反射部は、
前記横軸に沿って前記発光素子を挟んで対向する傾斜面と、
前記発光素子の上面から前記傾斜面の端部まで伸びる立上り面と、
をさらに有し、
前記立上り面は、前記発光素子からの直接光を反射し、
前記傾斜面は、前記発光素子からの直接光を受けないことを特徴とする照明装置。
【請求項２】
請求項１において、
前記突起部の表面は、曲面であることを特徴とする照明装置。
【請求項３】
請求項２において、
前記曲面は、前記光軸の方向から見て二次曲線であることを特徴とする照明装置。
【請求項４】
請求項１ないし３のいずれか１項において、
前記突起部は、前記横軸に沿った第１の方向において、前記発光素子の第１の幅よりも広い第２の幅を有することを特徴とする照明装置。
【請求項５】
請求項１ないし４のいずれか１項において、
前記突起部の前記頂部は、前記発光素子に隣接することを特徴とする照明装置。
【請求項６】
請求項１ないし５のいずれか１項において、
前記発光素子及び前記突起部は、前記第１の方向に沿って複数配置され、
前記壁部は、隣り合う前記突起部を接続しかつ前記突起部と少なくとも同じ高さの接続部を有することを特徴とする照明装置。
【発明の詳細な説明】
【技術分野】
【０００１】
本発明は、広角照射を可能にした照明装置に関する。
【背景技術】
【０００２】
従来の蛍光灯や白熱電球の代替照明装置として発光素子（発光ダイオード：Ｌｉｇｈｉｔ  Ｅｍｉｔｔｉｎｇ  Ｄｉｏｄｅ）を光源にした照明装置が急速に普及している。発光素子を光源にした照明装置は、低消費電力であり、しかも長寿命であることから、これまでも様々な照明装置に採用されている。
【０００３】
屋外で用いられる照明装置としては、交換の手間と交換費用を削減できることから、例えば、発光素子を凹状反射面の底部に設置した看板用の照明装置が提案されている（例えば、特許文献１、２参照）。
【０００４】
このような照明装置の凹状反射面は、通常、発光素子の発光が広がらないように集光させて照射光の強度を高めるように構成されている。したがって、照明装置は、照射面においてほぼ真円形の照射範囲を有する。このため、例えば、横長の看板を照射するような場合には、照明装置を複数個看板に沿って並べて配置することによって照射範囲を横長に対応させている。
【０００５】
また、通常は長方形状の看板を照射するため、円形の照射範囲では四方に照射されない欠けができるので、看板よりも広い照射範囲を照らすように照明装置を配置することになり、少なくとも、上下に看板に照射されない光が無駄になっていた。
【先行技術文献】
【特許文献】
【０００６】
【特許文献１】特開２０１０−１９８９５４号公報
【特許文献２】特開２０１０−１９８９５５号公報
【発明の概要】
【発明が解決しようとする課題】
【０００７】
本発明の目的は、広角照射を可能にした照明装置を提供することにある。
【課題を解決するための手段】
【０００８】
本発明にかかる照明装置は、
発光素子と、
前記発光素子からの直接光を反射する壁部を有する反射部と、
を有し、
前記発光素子の光軸に直交し、かつ、互いに直交する２つの軸を縦軸と横軸とするとき、
前記壁部は、前記光軸の方向から見て前記発光素子を挟んで対向する２つの突起部を有し、
前記突起部の表面は、前記縦軸上に頂部を有すると共に、前記頂部において前記光軸との距離が最も短く、前記横軸に沿って頂部から離れるにしたがって前記横軸との距離が長くなり、
前記反射部は、
前記横軸に沿って前記発光素子を挟んで対向する傾斜面と、
前記発光素子の上面から前記傾斜面の端部まで伸びる立上り面と、
をさらに有し、
前記立上り面は、前記発光素子からの直接光を反射し、
前記傾斜面は、前記発光素子からの直接光を受けないことを特徴とする。
【０００９】
本発明の照明装置によれば、発光素子から縦軸の方向に出射された直接光を突起部で横軸の方向に反射することによって、効率よく縦軸の方向より横軸の方向に広い照射範囲を得ることができる。さらに、このようにすることで、本発明にかかる照明装置は、発光素子から横軸の方向に出射された光を傾斜面に当てないことによって、横軸の方向の光を効率よく利用することができる。
【００１０】
本発明にかかる照明装置において、前記突起部の表面は、曲面であることができる。
【００１１】
このようにすることで、本発明にかかる照明装置は、横軸の方向において、なだらかな配光曲線を得ることができる。
【００１２】
本発明にかかる照明装置において、前記曲面は、前記光軸の方向から見て二次曲線であることができる。
【００１３】
このようにすることで、本発明にかかる照明装置は、横軸の方向において、なだらかな配光曲線を得ることができる。
【００１４】
本発明にかかる照明装置において、
前記突起部は、前記横軸に沿った第１の方向において、前記発光素子の第１の幅よりも広い第２の幅を有することができる。
【００１５】
このようにすることで、本発明にかかる照明装置は、発光素子から縦軸の方向へ出射された光を横軸の方向へ反射することができるため、効率よく縦軸の方向より横軸の方向に広い照射範囲を得ることができる。
【００１６】
本発明にかかる照明装置において、前記突起部の前記頂部は、前記発光素子に隣接することができる。
【００１７】
このようにすることで、本発明にかかる照明装置は、発光素子から縦軸の方向へ出射された光が広がる前に突起部で反射することによって、効率よく縦軸の方向より横軸の方向に広い照射範囲を得ることができる。
【００１８】
本発明にかかる照明装置において、
前記発光素子及び前記突起部は、前記第１の方向に沿って複数配置され、
前記壁部は、隣り合う前記突起部を接続しかつ前記突起部と少なくとも同じ高さの接続部を有することができる。
【００１９】
このようにすることで、本発明にかかる照明装置は、突起部と突起部の間へ出射された光を接続部によって横軸の方向へ反射することができる。
【図面の簡単な説明】
【００２２】
【図１】本発明の一実施形態にかかる照明装置の全体を示す斜視図である。
【図２】本発明の一実施形態にかかる照明装置の正面図である。
【図３】図２におけるＡ−Ａ断面図である。
【図４】本発明の一実施形態にかかる照明装置の反射部材を示す斜視図である。
【図５】本発明の一実施形態にかかる照明装置の反射部材及び発光素子を示す正面図である。
【図６】図５におけるＢ−Ｂ断面図である。
【図７】図６におけるＣ−Ｃ断面図である。
【図８】本発明の一実施形態にかかる照明装置の１／２ビーム角の照射範囲と突起部との関係を示す模式図である。
【図９】他の実施形態にかかる突起部の形状を示す平面図である。
【図１０】比較例１の反射部材の構造を模式的に示す平面図である。
【図１１】比較例１の反射部材の構造を模式的に示す縦断面である。
【図１２】比較例２の発光素子の配置を模式的に示す平面図である。
【図１３】実施例１の被照射面における照度分布を示す図である。
【図１４】実施例１の第１の方向Ｘの配光特性を示した図である。
【図１５】実施例１の第２の方向Ｙの配光特性を示した図である。
【図１６】比較例１の被照射面における照度分布を示す図である。
【図１７】比較例１の第１の方向Ｘの配光特性を示した図である。
【図１８】比較例１の第２の方向Ｙの配光特性を示した図である。
【図１９】比較例２の被照射面における照度分布を示す図である。
【図２０】比較例２の第１の方向Ｘの配光特性を示した図である。
【図２１】比較例２の第２の方向Ｙの配光特性を示した図である。
【図２２】比較例３の被照射面における照度分布を示す図である。
【図２３】実施例２の被照射面における照度分布を示す図である。
【図２４】実施例３の被照射面における照度分布を示す図である。
【図２５】実施例４の被照射面における照度分布を示す図である。
【図２６】実施例５の被照射面における照度分布を示す図である。
【図２７】実施例６の被照射面における照度分布を示す図である。
【発明を実施するための形態】
【００２３】
以下、本発明の実施の形態について図面を参照しながら詳細に説明する。
【００２４】
本発明の一実施の形態にかかる照明装置は、発光素子と、前記発光素子からの直接光を反射する壁部を有する反射部と、を有し、前記発光素子の光軸に直交し、かつ、互いに直交する２つの軸を縦軸と横軸とするとき、前記壁部は、前記光軸の方向から見て前記発光素子を挟んで対向する２つの突起部を有し、前記突起部は、前記縦軸上に頂部を有すると共に、前記頂部において前記光軸との距離が最も短く、前記横軸に沿って頂部から離れるにしたがって前記横軸との距離が長くなり、前記反射部は、前記横軸に沿って前記発光素子を挟んで対向する傾斜面と、前記発光素子の上面から前記傾斜面の端部まで伸びる立上り面と、をさらに有し、前記立上り面は、前記発光素子からの直接光を反射し、前記傾斜面は、前記発光素子からの直接光を受けないことを特徴とする。
【００２５】
図１は、本発明の一実施形態にかかる照明装置１の全体を示す斜視図であり、図２は、本発明の一実施形態にかかる照明装置の正面図であり、図３は、図２におけるＡ−Ａ断面図である。
【００２６】
図１及び図２に示すように、照明装置１は、図示しないアームなどに固定される取付部９と、回転取付部９２を介して取付部９に対して回転可能に取り付けられた本体部２と、を有する。本体部２は、外表面に多数の放熱板３２、８２が形成された光源部３と電源部８とからなる。光源部３は、内部に複数の発光素子を内蔵する横方向に長い箱型の筐体であり、正面に透光性カバー３０が取り付けられ、背面に放熱板３２が形成されている。
【００２７】
図３に示すように、光源部３は、透光性カバー３０が取り付けられた照射開口部４２か
ら内側へ凹状に形成された収容部４を有する。
【００２８】
収容部４は、長方形の底面４４と底面４４の四辺から照射開口部４２に至る４つの側壁面４６とを有する。収容部４には、発光部５と反射部６とが設けられている。
【００２９】
発光部５は、底面４４上に配置されて固定された発光素子５０を複数有し、透光性カバー３０へ向けて光を出射する。反射部６は、発光素子５０の周囲に高効率の反射面である内壁６４が形成された反射部材６０を有する。発光素子５０からの直接光は、反射部６に設けられた壁部である内壁６４によって所望の方向へ反射される。
【００３０】
本実施の形態においては、図２に示すように、照明装置１を正面から見て、照明装置１の長手方向である横方向を第１の方向Ｘ（Ｘ軸）、縦方向を第２の方向Ｙ（Ｙ軸）、光源部３の背面から正面へ向かう方向を第３の方向Ｚ（Ｚ軸）とし、第１〜第３の方向Ｘ，Ｙ，Ｚは互いに直交している。第３の方向Ｚは、照明装置１全体の配光曲線における光軸４１に対して平行である。なお、照明装置１における発光素子５０の数は任意の数を用途に応じて選択できるため、以下の説明においては、照明装置１全体の光軸４１とは別に各発光素子５０の光軸４０（図５〜図８を参照。）を有するものとして説明する。照明装置１の発光素子５０が１個であれば、照明装置１の光軸４１は発光素子５０の光軸４０であるものとする。
【００３１】
次に、図４〜図８を用いて、照明装置１の発光部５及び反射部６について詳細に説明する。図４は、本発明の一実施形態にかかる照明装置１の反射部材６０を示す斜視図であり、図５は、本発明の一実施形態にかかる照明装置１の反射部材６０及び発光素子５０を示す正面図であり、図６は、図５におけるＢ−Ｂ断面図であり、図７は、図６におけるＣ−Ｃ断面図である。また、図８は、本発明の一実施形態にかかる照明装置１の１／２ビーム角の照射範囲と突起部との関係を示す模式図である。
【００３２】
図４に示すように、反射部材６０は、収容部４の形状に合わせた第１の方向Ｘに長い矩形状であって、収容部４の側壁面４６に対向する外壁６２と、発光素子からの直接光を反射する壁部である内壁６４と、発光素子が配置される円形の開口部７４と、を有する。
【００３３】
本実施の形態においては、発光素子を２行３列の６個配置する照明装置の例について説明するが、発光素子の数はこれに限らず、３個を１列に配置した照明装置としても良く、さらに用途に応じて発光素子の数を増減することができる。したがって、開口部７４は、第１の方向Ｘに３箇所、第２の方向Ｙに２箇所の合計６箇所に開口している。
【００３４】
図５に示すように、内壁６４は、外壁６２の内側と、発光素子５０の第１の行１０と第２の行１２との間に仕切り壁６５と、に形成されている。第２の方向Ｙにおいて、内壁６４は、発光素子５０の光軸４０の方向（第３の方向Ｚ）から見て発光素子５０を挟んで対向する２つの突起部６８を有する。内壁６４は、さらに、隣り合う突起部６８を接続しかつ突起部６８と少なくとも同じ高さの接続部７２を有することができる。
【００３５】
ここで、発光素子５０の光軸４０に直交し、かつ、互いに直交する２つの軸を縦軸３６と横軸３８（図５の右上の発光素子５０を参照。）とする。光軸４０は発光素子５０の中心から第３の方向Ｚに沿って延び、縦軸３６は発光素子５０の中心を通って第２の方向Ｙに沿って延び、横軸３８は発光素子５０の中心を通って第１の方向Ｘに沿って延びる。
【００３６】
突起部６８の表面は、光軸４０の方向（第３の方向Ｚ）から見て、縦軸３６上に頂部７０を有すると共に、頂部７０において横軸３８との距離Ｍ１が最も短く、横軸３８に沿って頂部７０から離れるにしたがって横軸３８との距離Ｍ２が長くなる。このように突起部
６８を形成することによって、発光素子５０から縦軸３６方向に出射された直接光を突起部６８で横軸３８方向に反射することによって、効率よく縦軸３６方向より横軸３８方向に広い照射範囲を得ることができる。
【００３７】
突起部６８の表面は、曲面であることができる。このようにすることで、照明装置１は、横軸３８方向において、なだらかな配光曲線を得ることができる。また、この曲面は、光軸４０の方向（第３の方向Ｚ）から見て二次曲線であることができる。このようにすることで、照明装置１は、横軸３８方向において、なだらかな配光曲線を得ることができる。曲面の形状はこれに限らず、発光素子５０から出射された光の内、第２の方向Ｙに向かう光を第１の方向Ｘに反射することができる形状を採用することができる。例えば、光軸４０の方向（第３の方向Ｚ）から見て複数の円弧を組み合わせてもよく、円弧、曲線及び直線を選択して組み合わせてもよいし、例えばコーニック係数を用いて表すことができる曲線とすることもできる。突起部６８の曲面は、横軸３８方向へ光を効率よく反射できればよく、例えば、光軸４０の方向（第３の方向Ｚ）から見て光軸４０に向かって凸となる凸曲面とすることができる。また、例えば、図９に示すように、突起部６８ａを頂部７０ａから第１の方向Ｘに直線上に延びる傾斜面とすることができる。
【００３８】
突起部６８は、横軸３８に沿った第１の方向Ｘにおいて、発光素子５０の第１の幅Ｄ１よりも広い第２の幅Ｄ２を有することができる。このようにすることで、照明装置１は、発光素子５０から縦軸３６方向（第２の方向Ｙ）へ出射された光を横軸３８方向へ反射することができるため、効率よく縦軸３６方向より横軸３８方向に広い照射範囲を得ることができる。
【００３９】
突起部６８の頂部７０は、光軸４０の方向（第３の方向Ｚ）から見て、発光素子５０に隣接することができる。このようにすることで、照明装置１は、発光素子５０から縦軸３６方向へ出射された光が広がる前に突起部６８で反射することによって、効率よく縦軸３６方向より横軸３８方向に広い照射範囲を得ることができる。
【００４０】
図６に示すように、突起部６８は、その表面が任意のＸＹ平面で切り取ったときに二次曲線で形成され、略第３の方向Ｚに延びる放物柱面に形成されている。突起部６８は、略第３の方向Ｚに沿って形成されているが、発光素子５０の外周に隣接する位置から上面７６に向かってわずかに拡径またはわずかに縮径するように傾斜して形成することができる。照明装置１を対向配置した壁面に照射して得られる照度分布が横長となるようにするために、すなわち、第２の方向Ｙよりも第１の方向Ｘに長く等高線（等照度曲線）が広がるようにするためには、突起部６８の光軸４０に対する傾斜度ｂは、例えば−２０度〜＋１０度の範囲に設定することができる。また、この傾斜度ｂは、反射部材６０を樹脂などで一体成型した場合の加工性を良好とするために、−２０度〜０度の範囲に設定することができ、特に−２０度〜−２度の範囲に設定することが好ましい。この傾斜度ｂは、反射部材６０を樹脂などで一体成型した場合におけるいわゆる金型の抜きテーパー程度、例えば−２度とすることができる。なお、傾斜度ｂは、光軸４０側が「＋」とし、図６のように光軸４０から離れる側に倒れる場合には「−」とする。また、傾斜度ｂは図６における光軸４０に対する突起部６８の頂部７０の角度であるが、突起部６８の表面は第３の方向Ｚに延びる放物柱面を基準にして傾斜度ｂで発光素子５０の表面から突起部６８の上面７６に向かって縮径する円錐台形状のように形成されていることを示すものである。
【００４１】
発光素子５０及び突起部６８は、第１の方向Ｘに沿って複数配置され、内壁６４は、隣り合う突起部６８を接続しかつ突起部６８と少なくとも同じ高さの接続部７２を有することができる。このようにすることで、照明装置１は、突起部６８と突起部６８の間へ出射された光を接続部７２によって横軸３８方向へ反射することができる。
【００４２】
図７に示すように、反射部材６０は、横軸３８に沿って発光素子５０を挟んで対向する傾斜面６６と、発光素子５０の上面から傾斜面６６の端部まで伸びる立上り面６７と、をさらに有し、立上り面６７は、発光素子５０からの直接光を反射し、傾斜面６６は、発光素子５０からの直接光を受けない形状である。例えば、立上り面６７の高さは、発光素子５０の対向端部から立上り面６７の上端までを結ぶ線の延長線上よりも下に傾斜面６６が形成されるように設定することができる。このようにすることで、照明装置１は、発光素子５０から横軸３８方向に出射された光を傾斜面６６に当てないことによって、横軸３８方向の光を効率よく利用することができる。また、傾斜面６６の下方には空間５４が形成され、発光素子５０を底面４４に固定する図示しないホルダが収容される。傾斜面６６に直接光が当たらないため、空間５４の温度上昇を抑制することができる。
【００４３】
図８に示すように、発光素子５０から出射された光は、光軸４０を中心に１／２ビーム角ａで回転させると仮想円錐形状２４を描くことができる。通常、発光素子５０がＣＯＢであるとき、ＣＯＢから出射された光の配光曲線を得ると、ＣＯＢの中心を通りＣＯＢの鉛直方向に延びる光軸４０で最大光度となり、その最大光度の１／２光度の方向と光軸４０との角度の２倍の角度が１／２ビーム角ａとなる。ここでは、第３の方向Ｚに沿った突起部６８の高さＨ１における仮想円錐形状２４を描いたときに、その円錐の底面２０が突起部６８と重なる範囲Ｄ３が、突起部６８の幅Ｄ２よりも狭くなるように突起部６８を形成することができる。すなわち、突起部６８は、発光素子５０から突起部６８の高さＨ１の範囲で形成される１／２ビーム角ａの描く仮想円錐形状２４が反射部材６０と重なる範囲のすべてが突起部６８と重なるように形成することができる。このように突起部６８を形成することによって、１／２ビーム角ａの範囲の光を横軸３８方向へ反射することができ、第１の方向Ｘに効率よく光を配分することができる。
【００４４】
発光素子５０は、ＬＥＤ（発光ダイオード：Ｌｉｇｈｉｔ  Ｅｍｉｔｔｉｎｇ  Ｄｉｏｄｅ）であることができ、また有機ＥＬその他の照明装置に用いられる発光素子を用いることができる。ＬＥＤとしては、チップオンボード型（ＣＯＢ：Ｃｈｉｐ  ｏｎ  Ｂｏａｒｄ）、表面実装型（ＳＭＤ：Ｓｕｒｆａｃｅ  Ｍｏｕｎｔ  Ｄｅｖｉｃｅ）、砲弾型などを用いることができる。本実施の形態においては、発光素子５０としてＣＯＢ型のＬＥＤを用いた例で説明したが、これに限定されない。
【００４５】
反射部材６０の内壁６４は、光を効率よく反射させるために鏡面状に形成され、例えば反射部材６０の内壁６４に増反射膜または銀を蒸着することができる。また、反射部材６０の内壁６４は、鏡面状のいわゆる鏡面反射面に限らず、公知の種々の反射率を有する材料の反射面を採用することができ、例えば、拡散反射面を部分的にまたは全体に採用することもできる。拡散反射面としては、例えば、酸化チタン等の拡散材を含有した白色の表面、またはシボ加工、ブラスト処理等によって凹凸を形成した表面であることができる。また、反射部材６０は、例えば、入射する光の一部を反射し、残りの光を透過するような完全反射しない部材を採用することができ、例えば、ハーフミラーのように入射光と透過光の強さがほぼ同じ材質を反射部材６０に採用することもできる。
【００４６】
照明装置１を発光させることによって、照明装置１の正面に対向する照射面において、第２の方向Ｙよりも第１の方向Ｘに長い横長の照度分布を得ることができる。
【００４７】
このような照明装置１は、例えば、屋外看板を照射するための投光器、ガソリンスタンドや工場などの高天井に取り付けるキャノピーライトなどに採用することができる。
【００４８】
なお、上記のように本発明の実施の形態について詳細に説明したが、本発明の新規事項及び効果から実体的に逸脱しない多くの変形が可能である。
【実施例】
【００４９】
第２の方向Ｙに２行、第１の方向Ｘに３列の同じＣＯＢ（発光素子５０）を平面基板上に配置して、反射部材だけを変えた実施例１、比較例１及び比較例２について、照度分布と配光特性をシミュレーションした。シミュレーションの結果は、図１３〜図２１に示した。
【００５０】
実施例１の反射部材は、少なくとも内壁６４が鏡面状である図４〜図７の反射部材６０を用いた。実施例１における発光素子５０はＣＯＢを用い、そのＣＯＢの外径は円形でありその直径Ｄ１は１４．５ｍｍ、突起部６８の幅Ｄ２は３６ｍｍ、第１の方向Ｘに隣接するＣＯＢの中心間距離は５０ｍｍ、第２の方向に隣接するＣＯＢの中心間距離は３６ｍｍ、突起部６８の第３の方向Ｚにおける高さＨ１は１８．１ｍｍ、突起部６８の傾斜度ｂは−２度であった。
【００５１】
比較例１の反射部材６０ａは、図１０、図１１に示す現行の反射部材６０ａを用いた。図１０は比較例１の反射部材６０ａの構造を模式的に示す平面図であり、図１１は比較例１の反射部材６０ａの構造を模式的に示す縦断面である。比較例１におけるＣＯＢ（発光素子５０）の種類、形状及びＣＯＢの第１、第２の方向Ｘ，Ｙの配置は実施例１と同じであるが突起部はなく、ＣＯＢ５０側の開口部７４から上面７６ａの上面開口部７８に向かって徐々に拡径する横断面円形の回転放物面である鏡面状の反射面８０を有し、反射面８０の上面７６ａにおける開口幅Ｌ２は３６ｍｍであり、反射面８０の第３の方向Ｚにおける高さＨ２は１８．１ｍｍであった。
【００５２】
比較例２は、図１２に示すように、反射部材を設けず、ＣＯＢ（発光素子５０）の種類、形状及びＣＯＢの第１、第２の方向Ｘ，Ｙの配置は、実施例１及び比較例１と同じであった。
【００５３】
図１３は、実施例１の照明装置の正面に対向する被照射面における照度分布を示す図である。図１４は、実施例１の第１の方向Ｘ（走査角０度）の配光特性を示した図である。図１５は、実施例１の第２の方向Ｙ（走査角９０度）の配光特性を示した図である。図１６は、比較例１の照明装置の正面に対向する被照射面における照度分布を示す図である。図１７は、比較例１の第１の方向Ｘ（走査角０度）の配光特性を示した図である。図１８は、比較例１の第２の方向Ｙ（走査角９０度）の配光特性を示した図である。図１９は、比較例２の照明装置の正面に対向する被照射面における照度分布を示す図である。図２０は、比較例２の第１の方向Ｘ（走査角０度）の配光特性を示した図である。図２１は、比較例２の第２の方向Ｙ（走査角９０度）の配光特性を示した図である。なお、図１３，１６，１９の被照射面は、第１の方向Ｘが３０ｍ、第２の方向Ｙが２０ｍの長方形の平面である。
【００５４】
比較例１，２の照明装置においては、図１６及び図１９に示すように、ほぼ円形の照度分布が得られたのに対し、実施例１の照明装置１においては、図１３に示すように、第２の方向Ｙよりも第１の方向Ｘに長い横長の照度分布が得られた。
【００５５】
また、比較例１，２の照明装置においては、図１７〜図２１に示すように、第１の方向Ｘ及び第２の方向Ｙにおいてもほぼ同じ配光曲線が得られたのに対し、実施例１の照明装置においては、図１４及び図１５に示すように、第１の方向Ｘにおける配光曲線の１／２ビーム角が１２７度であり、第２の方向Ｙにおける配光曲線の１／２ビーム角が７２度であった。特に、比較例２の反射部材を用いていない６個のＣＯＢ配置で得られた配光曲線の１／２ビーム角が１１５度であったので、実施例１が第１の方向Ｘにおける１／２ビーム角の方が発光源であるＣＯＢそのものの１／２ビーム角よりも大きくなった。なお、図１４における光度のピーク強度は３．３６５Ｅ＋００３であり、図１５における光度のピ
ーク強度は３．１７３Ｅ＋００３であり、図１７及び図１８における光度のピーク強度は１．５９６Ｅ＋００４であり、図２０及び図２１における光度のピーク強度は２．９４４Ｅ＋００３であった。
【００５６】
また、図１４に示す実施例１の照明装置１の配光曲線を見ると、末広がりに広がって、ピーク強度の付近で第１の方向Ｘにほぼ平らに配光曲線が描かれており、このことから、第１の方向Ｘにおける光度が広い範囲で比較的高い光度が得られることがわかった。このように、実施例１の照明装置１は、広角照射を可能とすることができた。
【００５７】
実施例２〜６及び比較例３は、実施例１における突起部６８の傾斜度ｂを表１に示すように変更したものであって、照度分布及び配光特性をシミュレーションした。配光特性のシミュレーションの結果は、表１に示した。走査角０度は照明装置１における第１の方向Ｘであり、走査角９０度は照明装置１における第２の方向Ｙであった。実施例１〜５及び比較例３においても第１の方向Ｘの１／２ビーム角がＣＯＢ単体の比較例２よりも大きくなった。
【００５８】
【表１】
0005457576.tif 000002
【００５９】
また、照度分布のシミュレーションの結果は、図２２〜図２７に示した。図２２は、比較例３の被照射面における照度分布を示す図である。図２３は、実施例２の被照射面における照度分布を示す図である。図２４は、実施例３の被照射面における照度分布を示す図である。図２５は、実施例４の被照射面における照度分布を示す図である。図２６は、実施例５の被照射面における照度分布を示す図である。図２７は、実施例６の被照射面における照度分布を示す図である。各照度分布図における曲線は等高線であり、同一照度を表す等照度曲線である。
【００６０】
図２２に示す比較例３の照度分布は等高線が中心付近で狭くなる瓢箪状になったが、それ以外の図２３〜図２７に示す実施例２〜６の照度分布はおおよそ第１の方向Ｘに広がる略長方形になった。特に、図２４〜図２７に示す実施例３〜６の照度分布において高い照度を維持しながら略長方形の照度分布が得られた。
【符号の説明】
【００６１】
１  照明装置、２  本体部、３  光源部、４  収容部、５  発光部、６  反射部、６ａ  反射部、８  電源部、９  取付部、９２  回転取付部、Ｘ  第１の方向、Ｙ  第２の方向、Ｚ  第３の方向、１０  第１の行、１２  第２の行、２０  突起部の高さ位置における１／２ビーム角内の照射範囲、２４  仮想円錐形状、３０  投光性カバー、３２  放熱板
、３６  縦軸、３８  横軸、４０  光軸、４２  照射開口部、４４  底面、４６  側壁面、５０  発光素子、５２  基板、５４  ホルダ収容部、６０  反射部材、６０ａ  反射部材、６２  外壁、６４  内壁、６５  仕切り壁、６６  傾斜面、６７  立上り面、６８  突起部、６８ａ突起部、７０  頂部、７０ａ  頂部、７２  接続部、７４  開口部、７６
上面、７６ａ  上面、７８  上部開口部、８０  反射面、８２  放熱板、Ｈ１  突起部の高さ、Ｈ２  反射面の高さ、Ｌ１  発光素子の中心間距離、Ｌ２  上部開口部の直径、ａ  １／２ビーム角、ｂ  傾斜角、Ｄ１  発光素子の直径、Ｄ２  突起部の幅、Ｍ１  突部と横軸との距離、Ｍ２  突部と横軸との距離
【要約】
【課題】  広角照射を可能にした照明装置を提供する。
【解決手段】  本発明にかかる照明装置１は、発光素子５０と、発光素子５０からの直接光を反射する内壁６４を有する。発光素子５０の光軸４０に直交し、かつ、互いに直交する２つの軸を縦軸３６と横軸３８とする。内壁６４は、光軸４０の方向から見て発光素子５０を挟んで対向する２つの突起部６８を有する。突起部６８は、光軸４０の方向から見て、縦軸３６上に頂部７０を有すると共に、頂部７０において横軸３８との距離Ｍ１が最も短く、横軸３８に沿って頂部７０から離れるにしたがって横軸３８との距離Ｍ２が長くなる。
【選択図】図５【図１】
0005457576.tif 000003
【図２】
0005457576.tif 000004
【図３】
0005457576.tif 000005
【図４】
0005457576.tif 000006
【図５】
0005457576.tif 000007
【図６】
0005457576.tif 000008
【図７】
0005457576.tif 000009
【図８】
0005457576.tif 000010
【図９】
0005457576.tif 000011
【図１０】
0005457576.tif 000012
【図１１】
0005457576.tif 000013
【図１２】
0005457576.tif 000014
【図１３】
0005457576.tif 000015
【図１４】
0005457576.tif 000016
【図１５】
0005457576.tif 000017
【図１６】
0005457576.tif 000018
【図１７】
0005457576.tif 000019
【図１８】
0005457576.tif 000020
【図１９】
0005457576.tif 000021
【図２０】
0005457576.tif 000022
【図２１】
0005457576.tif 000023
【図２２】
0005457576.tif 000024
【図２３】
0005457576.tif 000025
【図２４】
0005457576.tif 000026
【図２５】
0005457576.tif 000027
【図２６】
0005457576.tif 000028
【図２７】
0005457576.tif 000029